(57)【要約】【課題】軽量で持ち運びし易く、簡単な構造で設置が容易であり、更に、設置後に倒れ難く、設置や折り畳みの作業時に破損し難く且つ怪我をし難く、必要に応じて、透明または半透明のシート体を採用することで、周囲の視界や雑音などを遮断することなく周囲の情報を取得しつつ、ウイルスなどの飛沫感染を防止することができ、また、不透明のシート体とすることで、周囲の視界や雑音などの情報を遮断することができるパーテーションを提供する。【解決手段】合成樹脂製の一枚のシート体１０からなり、設置時に横方向に連なる複数の壁部１１と、この壁部１１の下端から外側に延びる転倒防止部１３と、を有し、隣り合う壁部１１の境界には、第一の折り曲げ部１５が形成され、壁部１１の角部２１が、Ｒ状または円弧状に形成されている、パーテーション１００。【選択図】図１
0003228429.tif 000002
【実用新案登録請求の範囲】
【請求項１】
合成樹脂製の一枚のシート体からなり、
設置時に横方向に連なる複数の壁部と、
前記壁部の下端から外側に延びる転倒防止部と、を有し、
隣り合う前記壁部の境界には、第一の折り曲げ部が形成され、
前記壁部の角部が、Ｒ状または円弧状に形成されている、パーテーション。
【請求項２】
前記転倒防止部の角部が、Ｒ状または円弧状に形成されている、請求項１に記載のパーテーション。
【請求項３】
前記壁部と前記転倒防止部との境界には、第二の折り曲げ部が形成されている、請求項１また２に記載のパーテーション。
【請求項４】
隣り合う前記転倒防止部は、前記シート体の表面側及び裏面側に交互に延びている、請求項１〜３のいずれか一項に記載のパーテーション。
【請求項５】
前記第二の折り曲げ部が筋押しであり、隣り合う当該第二の折り曲げ部が、前記シート体の表面及び裏面に交互に形成されている、請求項３または４に記載のパーテーション。
【請求項６】
前記シート体が、透明または半透明である、請求項１〜５のいずれか一項に記載のパーテーション。
【請求項７】
前記シート体が、有色で不透明である、請求項１〜５のいずれか一項に記載のパーテーション。
【請求項８】
前記第一の折り曲げ部が、筋押しである、請求項１〜７のいずれか一項に記載のパーテーション。
【請求項９】
前記壁部が長方形であり、隣り合う当該壁部は前記第一の折り曲げ部を介して互いに長辺が接しており、
前記壁部が３〜９枚である、請求項１〜８のいずれか一項に記載のパーテーション。
【請求項１０】
合成樹脂製の一枚のシート体からなり、
設置時に横方向に連なる複数の壁部と、を有し、
隣り合う前記壁部の境界には、第一の折り曲げ部が形成され、
前記壁部の角部が、Ｒ状または円弧状に形成されている、パーテーション。
【考案の詳細な説明】
【技術分野】
【０００１】
本考案は、パーテーションに関し、更に詳しくは、例えば学校の授業などを受ける際や、ビジネスマン等が会社で仕事をする際などに机上に載置して、ウイルスなどの飛沫感染を防止することができ、更には、避難所等における間仕切りとして使用することができるパーテーションに関する。
【背景技術】
【０００２】
従来、空間を区切るためのものとして、パーテーション（衝立）やパネル、間仕切りなどが知られている。このようなパーテーションやパネル、間仕切りなどの仕切材で空間を区切ることで、他者からの視線などを遮断することができる。
【０００３】
例えば、各自の机上に置いて周囲の視界や雑音を極力遮断し、集中して勉強や読書等をすることができるようにした机上用衝立が報告されている（例えば、特許文献１参照）。
【０００４】
また更に、視界や雑音だけでなく、ウイルスなどの感染を防ぐことを目的としても仕切材を用いることが知られている。ウイルスなどの感染を防ぐには、飛沫感染を防止することも対策の１つとなるためである。
【０００５】
このような仕切材としては、例えば、透明な樹脂からなるシールド具を備える防護用パネルが報告されている（例えば、特許文献２参照）。
【０００６】
また、避難所等において個人や家族のスペースを確保するために隣との間に間仕切りを配置することがある。
【先行技術文献】
【特許文献】
【０００７】
【特許文献１】実開昭６３−３３８６３号公報
【特許文献２】実用新案登録第３１５２４９３号公報
【考案の概要】
【考案が解決しようとする課題】
【０００８】
しかしながら、特許文献１に記載の机上用衝立は、周囲の視界や雑音などを遮断するものであり、例えば、学校における授業中に使用するものではない。つまり、衝立のような仕切材を載置しても、これを載置しない場合と同程度に周囲の情報を取得することができ、一方で、ウイルスなどの飛沫感染を防止できることが重要である。しかし、特許文献１に記載の机上用衝立は周囲の情報を遮断するためのものであり、十分でなかった。
【０００９】
更に、特許文献２に記載の防護用パネルは、これを用いることで、顧客などとの対話が可能であるので周囲の情報を取得しつつ、ウイルスなどの感染を防ぐことができる。しかし、シールド具を載置するための保持部材が必要であり、このパネルの持ち運びには手間がかかった。特に、小学生などのように力の弱い者には扱い難く、例えば、自宅から学校、学校から塾、塾から自宅のように移動が多い場合には負担が大きくなる。
【００１０】
最近では、新型コロナウイルスの感染拡大が問題となっており、爆発的な感染の第２波や第３波に備え、またこの爆発的な感染を回避することも必要である。特に教育現場では、「学生のいのちを守り、学力を守る」環境づくりが重要であり、ウイルスの感染を防止するための対策が不可欠である。
【００１１】
更に、避難所等で使用する間仕切りは、紙製の段ボールからなるものがあるが、紙製であると、水に濡れると使用できなくなってしまうことがある。また、比較的大きな収納スペースが必要であったり、力の弱い者（例えば、女性や子供、年配者など）には重くて設置や収納し難いという問題もあった。そこで、プラスチック製の間仕切りも知られているが、依然として倒れやすく、設置時に間仕切りの角部で怪我をするおそれもあった。
【００１２】
本考案は、このような従来技術の有する問題点に鑑みてなされたものである。本考案の課題とするところは、軽量で持ち運びし易く、簡単な構造で設置が容易であり、更に、設置後に倒れ難く、設置や折り畳みの作業時に破損し難く且つ怪我をし難く、必要に応じて、透明または半透明のシート体を採用することで、周囲の視界や雑音などの情報を遮断することなく、周囲の情報を取得しつつ、ウイルスなどの飛沫感染を防止することができ、また、不透明のシート体とすることで、周囲の視界や雑音などの情報を遮断することができるパーテーションを提供することにある。
【課題を解決するための手段】
【００１３】
本考案によれば、以下に示す、パーテーションが提供される。
【００１４】
［１］  合成樹脂製の一枚のシート体からなり、
設置時に横方向に連なる複数の壁部と、
前記壁部の下端から外側に延びる転倒防止部と、を有し、
隣り合う前記壁部の境界には、第一の折り曲げ部が形成され、
前記壁部の角部が、Ｒ状または円弧状に形成されている、パーテーション。
【００１５】
［２］  前記転倒防止部の角部が、Ｒ状または円弧状に形成されている、前記［１］に記載のパーテーション。
【００１６】
［３］  前記壁部と前記転倒防止部との境界には、第二の折り曲げ部が形成されている、前記［１］または［２］に記載のパーテーション。
【００１７】
［４］  隣り合う前記転倒防止部は、前記シート体の表面側及び裏面側に交互に延びている、前記［１］〜［３］のいずれかに記載のパーテーション。
【００１８】
［５］  前記第二の折り曲げ部が筋押しであり、隣り合う当該第二の折り曲げ部が、前記シート体の表面及び裏面に交互に形成されている、前記［３］または［４］に記載のパーテーション。
【００１９】
［６］  前記シート体が、透明または半透明である、前記［１］〜［５］のいずれかに記載のパーテーション。
【００２０】
［７］  前記シート体が、有色で不透明である、前記［１］〜［５］のいずれかに記載のパーテーション。
【００２１】
［８］  前記第一の折り曲げ部が、筋押しである、前記［１］〜［７］のいずれかに記載のパーテーション。
【００２２】
［９］  前記壁部が長方形であり、隣り合う当該壁部は前記第一の折り曲げ部を介して互いに長辺が接しており、
前記壁部が３〜９枚である、前記［１］〜［８］のいずれかに記載のパーテーション。
【００２３】
［１０］  合成樹脂製の一枚のシート体からなり、
設置時に横方向に連なる複数の壁部と、を有し、
隣り合う前記壁部の境界には、第一の折り曲げ部が形成され、
前記壁部の角部が、Ｒ状または円弧状に形成されている、パーテーション。
【考案の効果】
【００２４】
本考案のパーテーションは、軽量で持ち運びし易く、簡単な構造で設置が容易であり、更に、設置後に倒れ難く、設置や折り畳みの作業時に破損し難く且つ怪我をし難く、必要に応じて、透明または半透明のシート体を採用することで、周囲の視界や雑音などを遮断することなく周囲の情報を取得しつつ、ウイルスなどの飛沫感染を防止することができ、また、不透明のシート体とすることで、周囲の視界や雑音などの情報を遮断することができるという効果を奏するものである。
【図面の簡単な説明】
【００２５】
【図１】本考案（第１の考案）のパーテーションの一の実施形態を模式的に示す斜視図である。
【図２】本考案（第１の考案）のパーテーションの一の実施形態を展開した状態を模式的に示す平面図である。
【図３】本考案（第１の考案）のパーテーションの他の実施形態を模式的に示す斜視図である。
【図４】図３に示すパーテーションの他の使用態様を模式的に示す斜視図である。
【図５】図３に示すパーテーションの更に他の使用態様を模式的に示す斜視図である。
【図６】図３に示すパーテーションの更に他の使用態様を模式的に示す斜視図である。
【図７】図３に示すパーテーションの更に他の使用態様を模式的に示す斜視図である。
【図８】図３に示すパーテーションを展開した状態を模式的に示す平面図である。
【図９】本考案（第２の考案）のパーテーションの一の実施形態を模式的に示す斜視図である。
【考案を実施するための形態】
【００２６】
以下、本考案の実施の形態について説明するが、本考案は以下の実施の形態に限定されるものではなく、本考案の趣旨を逸脱しない範囲で、当業者の通常の知識に基づいて、以下の実施の形態に対し適宜変更、改良等が加えられたものも本考案の範囲に入ることが理解されるべきである。
【００２７】
（１）本考案（第１の考案）のパーテーション：
本考案（第１の考案）のパーテーションの一実施形態は、図１に示すパーテーション１００である。パーテーション１００は、合成樹脂製の一枚のシート体１０からなる。そして、設置時に横方向に連なる複数の壁部１１と、この壁部１１の下端から、外側（即ち、シート体１０の表面２５側、裏面２７側、または、表面２５及び裏面２７の両側）に延びる転倒防止部１３と、を有している。更に、隣り合う壁部１１の境界には、第一の折り曲げ部１５が形成され、壁部１１の角部２１が、Ｒ状または円弧状に形成されている。
【００２８】
このパーテーション１００は、軽量で持ち運びし易く、簡単な構造で設置が容易である。そして、更に、設置後に倒れ難く、また、設置や折り畳みの作業時等に破損し難く且つ怪我をし難いものである。更に、必要に応じて、周囲の視界や雑音などを遮断することなく周囲の情報を取得しつつ、ウイルスなどの飛沫感染を防止することができる。
【００２９】
最近では、特に、ウイルス（特に新型コロナウイルス）の感染防止対策として教室やオフィスなどでは定期的な換気が行われ、その際、一時的に強い風が当たることがある。また、例えば、教室等の学習机やオフィスのデスク上にパーテーション１００を設置した場合、この学習机等のそばを人が通り、風を起こし、この風がパーテーション１００に当たることがある。このような風は、パーテーション１００を転倒させる要因になるが、転倒防止部１３を設けることで、パーテーション１００の設置後に当該パーテーション１００が倒れ難くなる。また、避難所等が開設されている場合には、避難所等でもウイルス等の感染防止対策として定期的な換気が行われ、また、パーテーション１００のそばを人が通ることがある。そのため、避難所等に設置した場合にも同様にパーテーションが転倒するおそれがあるが、本考案のパーテーションでは転倒し難くなっている。
【００３０】
更に、パーテーション１００は、壁部１１の角部２１がＲ状または円弧状に形成されているので、パーテーション１００の設置や折り畳みの作業時等に破損し難く且つ使用者が怪我をし難い。
【００３１】
また、不透明のシート体とすれば、周囲の視界や雑音などの情報を遮断することができ、避難所等のようにプライバシーを守る必要がある場所などに良好に設置することができる。
【００３２】
パーテーション１００の大きさは、特に制限はなく適宜設定することができ、例えば、机上等に配置するタイプで長方形状である場合、縦（高さＨ１）３００〜１０００ｍｍ程度とすることができ、横（幅Ｗ１）５００〜２０００ｍｍ程度とすることができる。
【００３３】
パーテーション１００の厚さは、特に制限はなく適宜設定することができ、例えば、０．５〜５ｍｍ程度とすることができる。
【００３４】
なお、パーテーション１００は、オーダーメイドとすることができ、大きさや色などは、要望に応じて適宜決定することができ、避難所等に設置する場合には白色などとすることができる。
【００３５】
（１−１）シート体：
パーテーション１００は、合成樹脂製の一枚のシート体１０からなる。このようにシート体１０から構成することで、軽量で持ち運びし易く、簡単な構造で設置が容易である。そして、合成樹脂製であるので、安価である。また、拭き掃除が容易である。
【００３６】
更には、透明または半透明な合成樹脂製の一枚のシート体１０から構成することができ、このようにすることで、学校の授業中などに机上に載置して使用しても授業の妨げにならない。つまり、透明または半透明であるので、黒板等の板書が十分に見えることになり、更に、より後方にいる他の生徒等の視界を妨げることも少ない。また、逆に教師からも生徒等の顔や手元が見えることになり、十分な授業を行うことができる。一方で、仮に教師や他の生徒等がウイルスに感染していたとしても、このパーテーション１００が、使用者に対する飛沫（ウイルス等を含む飛沫）の付着を防ぐことから、飛沫感染を防止することができる。
【００３７】
シート体１０は、「透明または半透明」とすることができ、これは、有色であっても良いし、無色であってもよい。無色であると、学習机やオフィスのデスクなどの机上に載置して使用しても更に授業や業務などの妨げになり難い。
【００３８】
また、シート体１０は、有色で不透明なものであってもよい。このようにすると、例えば、避難所等のようにプライバシーを守る必要がある場所に設置することに好適である。このときの色としては、特に制限はなく、例えば、白、茶、水色など適宜選択することができる。
【００３９】
合成樹脂としては、従来公知の合成樹脂を適宜選択して採用することができ、例えば、ポリエチレンテレフタレート、ポリカーボネート、アクリル、ポリプロピレンなどを挙げることができる。
【００４０】
（１−２）壁部：
壁部１１は、設置時に横方向に連なる複数の板状の部分である。この壁部１１によってウイルス等を含む飛沫が、パーテーション１００の使用者に付着することを防止する防護壁となる。更に、有色で不透明なシート体１０である場合には、他人の視線などが気にならずプライバシーを守ることができる。
【００４１】
壁部１１の大きさは、特に制限はなく、例えば、机上等に配置するタイプで長方形状である場合、縦（高さＨ２）２５０〜９００ｍｍ程度とすることができ、横（幅Ｗ２）３０〜６００ｍｍ程度とすることができる。
【００４２】
壁部１１は、その数について特に制限はなく、例えば、３〜９枚程度とすることができる。
【００４３】
壁部１１の角部２１は、Ｒ状または円弧状に形成されている。このように角部２１がＲ状または円弧状であると、設置や折り畳みの作業時等にパーテーション１００が破損することを防止することができる。また、小学生などのようにパーテーションの扱いに慣れない使用者が角部２１に触れて怪我をすることを防止することができる。更には、パーテーション１００の設置後に転倒することを更に防止することができる。つまり、パーテーション１００は、転倒防止部１３を備えており、主にはこの転倒防止部１３によって転倒し難くなっている。ここで、パーテーション１００は、シート体を例えばコの字状に折り曲げて立てているが、ウイルス（特に新型コロナウイルス）の感染防止対策として教室などでは定期的な換気が行われ、その際、一時的に強い風が当たることがある。また、パーテーション１００を設置した学習机のそばを人が通り、風を起こし、この風がパーテーション１００に当たることがある。このような風は、パーテーション１００を転倒させる要因になるが、上記風を受けても、複数の壁部１１を有し、これらを第一の折り曲げ部１５を介して折り曲げることに加え、転倒防止部１３を有することで、パーテーション１００が更に転倒し難くなる。同様に、避難所等に設置した場合にもパーテーションが転倒し難くなる。
【００４４】
本明細書において、「Ｒ状または円弧状」の角部２１とは、角部２１の外縁が曲線状に縁取りされていることを言う。
【００４５】
壁部１１の角部２１のうち、シート体１０の角部に該当する２つの角部（端部角部４１）は、その曲率半径が、その他の角部２１（第一の折り曲げ部１５の位置に形成された角部（中間角部４２））の曲率半径よりも大きいことがよい。端部角部４１は、パーテーション１００を設置した際にそのそばを通る人が接触し易く、より曲率が大きくすることで怪我などをすることを防止できる。
【００４６】
端部角部４１の曲率半径は、特に制限はないが、例えば、Ｒ１０〜Ｒ３０ｍｍ程度とすることができる。
【００４７】
中間角部４２の曲率半径は、特に制限はないが、例えば、Ｒ３〜Ｒ３０ｍｍ程度とすることができる。
【００４８】
壁部１１は、その形状について特に制限はなく、例えば、正方形や長方形などの四角形などとすることができる。そして、長方形である場合、長方形の壁部１１は、図１に示すように、隣り合う当該壁部１１が第一の折り曲げ部１５を介して互いに長辺が接していることができる。
【００４９】
（１−３）転倒防止部：
転倒防止部１３は、壁部１１の下端から外側に延びている。即ち、転倒防止部１３は、壁部１１の下端から、シート体１０の表面２５側、裏面２７側、または、表面２５及び裏面２７の両側に延びている。このような転倒防止部１３を有することで、パーテーション１００と机などとの設置面積が大きくなり、机などの上に安定して設置され、パーテーション１００が風などの力を受けた際にも転倒することが防止される。なお、避難所等でも同様にパーテーション１００の転倒が防止される。
【００５０】
転倒防止部１３は、各壁部１１のそれぞれの下端から外側に延びていることがよいが、複数の壁部１１の一部の壁部１１の下端から外側に延びるものであってもよい。図１に示すように、各壁部１１のそれぞれの下端から外側に延びていると、パーテーション１００を設置した際におけるパーテーション１００の転倒をより防止することができる。
【００５１】
転倒防止部１３のそれぞれは、シート体１０の表面２５側及び裏面２７側のいずれに延びていてもよい。即ち、全ての転倒防止部１３が、シート体１０の表面２５側に延びていてもよいし、シート体１０の裏面２７側に延びていてもよい。更には、シート体１０の表面２５側に延びるものと、裏面２７側に延びるものの両方があってもよい。このように転倒防止部１３の延びる方向は、設置する机や床等の状態などにより適宜決定することができるが、図１に示すように、隣り合う転倒防止部１３が、シート体１０の表面２５側及び裏面２７側に交互に延びているようにすることがよい。このようにすると、より良好にパーテーション１００の転倒を防止することができる。
【００５２】
転倒防止部１３の角部２１（下端角部４３）は、Ｒ状または円弧状に形成されていることがよい。このように下端角部４３がＲ状または円弧状であると、パーテーション１００が破損することを防止することができる。また、小学生などのようにパーテーションの扱いに慣れていない使用者がこの下端角部４３に触れて怪我をすることを防止することができる。
【００５３】
下端角部４３の曲率半径は、特に制限はないが、例えば、Ｒ３〜Ｒ３０ｍｍ程度とすることができる。
【００５４】
転倒防止部１３の大きさは、特に制限はなく、例えば、机上等に配置するタイプで長方形状である場合、縦（壁部１１の高さ方向の長さＨ３）１０〜５０ｍｍ程度とすることができ、横（壁部１１の幅方向の長さＷ３）３０〜６００ｍｍ程度とすることができる。
【００５５】
転倒防止部１３の横方向の長さ（壁部１１の幅方向の長さＷ３）は、壁部１１の幅Ｗ２と同じとすることがよい。つまり、壁部１１と転倒防止部１３は、長方形状の部材の短手側の端部を折り曲げ、面積の大きな方が壁部１１となり、残りの部分が転倒防止部１３となる（図１、図２参照）。図２は、本考案のパーテーションの一の実施形態を展開した状態を模式的に示す平面図であり、パーテーション１００を展開した際の状態を示す展開図である。
【００５６】
（１−４）第一の折り曲げ部：
第一の折り曲げ部１５は、隣り合う壁部１１の境界に形成されている。この第一の折り曲げ部１５が形成されることで、パーテーション１００を簡単に開閉することができる。具体的には、パーテーション１００を簡単に折り畳むことができ、コンパクトにすることができる。そのため、机などに収納することもでき、更に持ち運びも便利である。また、例えば小学生のように力が弱い者でも広げるだけで簡単に設置することができる。
【００５７】
第一の折り曲げ部１５は、パーテーション１００の開閉を簡単にするための部分であり、従来公知の手段を適宜採用することができ、例えば、筋押しなどとすることができる。本考案のパーテーション１００は合成樹脂製であるため、熱による筋押しとすることで、容易に折り目を形成することができる。このように筋押しとすることで、更に簡単にパーテーション１００を開閉することができる。
【００５８】
（１−５）第二の折り曲げ部：
第二の折り曲げ部３１は、壁部１１と転倒防止部１３との境界に形成されている。この第二の折り曲げ部３１が形成されることで、転倒防止部１３を折り畳み易くなる。
【００５９】
第二の折り曲げ部３１は、転倒防止部１３の折り畳みを簡単にするための部分であり、従来公知の手段を適宜採用することができ、例えば、第一の折り曲げ部１５と同様に筋押しなどとすることができる。筋押しとすることで、更に簡単に転倒防止部１３の折り畳み操作を行うことができる。
【００６０】
第二の折り曲げ部３１が筋押しである場合、隣り合う第二の折り曲げ部３１（３１ａ,３１ｂ）は、シート体１０の表面２５及び裏面２７に交互に形成されていることがよい（図２参照）。このようにすると、図１に示すように、隣り合う転倒防止部１３がシート体１０の表面２５側及び裏面２７側に交互に延びているように、転倒防止部１３を容易に折り曲げることができる。
【００６１】
なお、学習机やオフィスのデスク用である場合、パーテーションを折り畳み、コンパクトにして収納袋（例えば、不織布製の手提げ袋）に入れて持ち運ぶことができる。合成樹脂製なので軽量であり簡単に持ち運びに便利である。避難所等用であっても、段ボール製のものに比べてコンパクトに折り畳むことができ、収納スペースが小さくなる。
【００６２】
（２）本考案のパーテーションの使用方法：
本考案のパーテーションは、以下のように使用することができる。まず、図１に示すようにパーテーション１００の複数の壁部１１を開き、机等の形に合わせて例えばコの字状にして机等の上に配置する。このとき、転倒防止部１３を起こす。この転倒防止部１３は、机上の状態などにも拠るが、壁部１１に対して９０°となるように折り曲げる。そして、転倒防止部１３の表面が机の上に接するようにパーテーション１００を机等に設置する。このようにすると、ウイルス等の飛沫感染を防止することができ、同時に、授業等を受ける際の妨げともなりにくい。そして、使用後は、パーテーション１００を、壁部１１が重なるように折り畳み、コンパクトな板状とすることができる。折り畳んだパーテーション１００は、例えば、不織布製の手提げ袋（折り畳んだパーテーション１００がちょうど収納できる大きさの専用の袋）などの袋に入れて持ち運ぶことができる。なお、避難所等用である場合にも、同様に、広げるだけで簡単に設置することができ、プライバシーを守ることができる。
【００６３】
図３〜図７に示すパーテーション１０１は、本考案のパーテーションの他の実施形態を示しており、その異なる使用態様（使用業態）を示している。このように、本考案のパーテーションは、シーンに応じて、サイズ、形状の変更が可能であるという利点がある。なお、パーテーション１０１は、有色で透明なものであるが、無色透明であってもよいことは勿論である。
【００６４】
図８は、本考案のパーテーションの他の実施形態（図３〜図７）を展開した際の展開図である。図８中、破線は、折り曲げ部１５を示しており、図８中の数値は、パーテーション１０１の寸法を示しており、単位は「ｍｍ」である。
【００６５】
（３）本考案（第２の考案）のパーテーション：
本考案（第２の考案）のパーテーションの一の実施形態は、図９に示すパーテーション２００である。パーテーション２００は、合成樹脂製の一枚のシート体１０からなり、設置時に横方向に連なる複数の壁部１１と、を有し、隣り合う壁部１１の境界には、第一の折り曲げ部１５が形成され、壁部１１の角部２１が、Ｒ状または円弧状に形成されているものである。
【００６６】
このようなパーテーション２００は、軽量で持ち運びし易く、簡単な構造で設置が容易である。そして、更に、第一の折り曲げ部に従って折り曲げるので設置後に倒れ難く、また、設置や折り畳みの作業時等に破損し難く且つ怪我をし難いものである。更に、パーテーション２００は、壁部１１の角部２１がＲ状または円弧状に形成されているので、パーテーション２００の設置や折り畳みの作業時等に破損し難く且つ使用者が怪我をし難い。
【００６７】
また、不透明のシート体とすれば、周囲の視界や雑音などの情報を遮断することができ、避難所等のようにプライバシーを守る必要がある場所などに良好に設置することができる。このようなことから、本考案（第２の考案）のパーテーションは、特に避難所等で使用することができる。図９は、例えば避難所等での使用例を示している。
【００６８】
パーテーション２００の大きさは、特に制限はなく適宜設定することができ、例えば、縦（高さ）７００〜２０００ｍｍ程度とすることができ、横（幅）９００〜６０００ｍｍ程度とすることができる。より具体的には、図９に示すように、高さ１１００ｍｍ程度、幅４０００ｍｍ程度（１枚の壁部１１の幅が５００ｍｍ程度）とすることができる。パーテーション２００の厚さは、特に制限はなく適宜設定することができ、例えば、０．５〜５ｍｍ程度とすることができる。
【００６９】
なお、第２の考案のパーテーションは、上述した第１の考案のパーテーションにおける転倒防止部を有さないもの同様のものである。第２の考案のパーテーションは、転倒防止部を有さないので、第１の考案のパーテーションに比べると、転倒防止性能は劣るものの、他の性能は従来のパーテーションに比べて、軽量などの優れた効果を発揮する。
【産業上の利用可能性】
【００７０】
本考案のパーテーションは、学校などで机の上に置き、飛沫感染を防止することのでき、更には、避難所等に設置することでプライバシーを守ること等ができるパーテーションである。
【符号の説明】
【００７１】
１０：シート体、１１：壁部、１３：転倒防止部、１５：第一の折り曲げ部、２１：角部、２５：表面、２７：裏面、３１：第二の折り曲げ部、４１：端部角部、４２：中間角部、４３：下端角部、１００，２００：パーテーション。
【図１】
0003228429.tif 000003
【図２】
0003228429.tif 000004
【図３】
0003228429.tif 000005
【図４】
0003228429.tif 000006
【図５】
0003228429.tif 000007
【図６】
0003228429.tif 000008
【図７】
0003228429.tif 000009
【図８】
0003228429.tif 000010
【図９】
0003228429.tif 000011
【手続補正書】
【提出日】令和2年8月18日(2020.8.18)
【手続補正１】
【補正対象書類名】実用新案登録請求の範囲
【補正対象項目名】全文
【補正方法】変更
【補正の内容】
【実用新案登録請求の範囲】
【請求項１】
合成樹脂製の一枚のシート体からなり、
設置時に横方向に連なる複数の壁部と、
前記壁部の下端から外側に延びる転倒防止部と、を有し、
隣り合う前記壁部の境界には、第一の折り曲げ部が形成され、
前記壁部の角部が、Ｒ状または円弧状に形成されている、パーテーション。
【請求項２】
前記転倒防止部の角部が、Ｒ状または円弧状に形成されている、請求項１に記載のパーテーション。
【請求項３】
前記壁部と前記転倒防止部との境界には、第二の折り曲げ部が形成されている、請求項１または２に記載のパーテーション。
【請求項４】
隣り合う前記転倒防止部は、前記シート体の表面側及び裏面側に交互に延びている、請求項１〜３のいずれか一項に記載のパーテーション。
【請求項５】
前記第二の折り曲げ部が筋押しであり、隣り合う当該第二の折り曲げ部が、前記シート体の表面及び裏面に交互に形成されている、請求項３に記載のパーテーション。
【請求項６】
前記シート体が、透明または半透明である、請求項１〜５のいずれか一項に記載のパーテーション。
【請求項７】
前記シート体が、有色で不透明である、請求項１〜５のいずれか一項に記載のパーテーション。
【請求項８】
前記第一の折り曲げ部が、筋押しである、請求項１〜７のいずれか一項に記載のパーテーション。
【請求項９】
前記壁部が長方形であり、隣り合う当該壁部は前記第一の折り曲げ部を介して互いに長辺が接しており、
前記壁部が３〜９枚である、請求項１〜８のいずれか一項に記載のパーテーション。
【請求項１０】
合成樹脂製の一枚のシート体からなり、
設置時に横方向に連なる複数の壁部と、を有し、
隣り合う前記壁部の境界には、第一の折り曲げ部が形成され、
前記壁部の角部が、Ｒ状または円弧状に形成されている、パーテーション。
【手続補正２】
【補正対象書類名】明細書
【補正対象項目名】００１８
【補正方法】変更
【補正の内容】
【００１８】
［５］  前記第二の折り曲げ部が筋押しであり、隣り合う当該第二の折り曲げ部が、前記シート体の表面及び裏面に交互に形成されている、前記［３］に記載のパーテーション。